(57)【要約】【課題】  同報データの送信において無線リソースを効率的に使用する。【解決手段】  ＡＮ／ＰＣＦが管理する同報データ受信端末数がある閾値を超えた場合に、占有チャネルによるデータ送信から共有チャネルによるデータ送信へ切り替える。また、同報データ受信端末数がある閾値を下まわった場合に、共有チャネルによるデータ送信から占有チャネルによるデータ送信へ切り替える。例えば、ＡＮ／ＰＣＦから共有チャネルを使用して端末ＡＴ１とＡＴ２とに同報データ送信がされている場合において（Ｓ６０２、６０３）、ＡＴ２（１００−２）が電源ＯＦＦすることにより、同報データ受信端末をカウントするカウンタの値が閾値を下回ると（Ｓ６０９）、ＡＮ／ＰＣＦは端末ＡＴ１との間で占有チャネルを設定する（Ｓ６１１，６１２）。また、端末ＡＴ１との通信を共有チャネルから占有チャネルに切り替える。【選択図】  図１６
2006108960.tif 000002
【特許請求の範囲】
【請求項１】
同報データ通信のサービスを受けるユーザの数又は無線端末の数をカウントするカウンタと、
複数の無線端末に共通に使用される共有チャネルにより同報データを無線端末へ送信するよりも、それぞれの無線端末についての占有チャネルにより同報データを送信した方が、使用される無線リソースが小さくなる端末数と、それぞれの無線端末について占有チャネルにより同報データを送信するよりも、共有チャネルにより同報データを送信した方が、使用される無線リソースが小さくなる端末数との境界を示す閾値が予め記憶される記憶部と、
前記カウンタの値と前記閾値とに応じて、占有チャネル及び／又は共有チャネルにより同報データを送信するための処理部と
を備えた基地局であって、
前記処理部は、
第１の無線端末と占有チャネルを設定して、設定された占有チャネルで所定のサービス又はグループの同報データを第１の無線端末へ送信し、
第１の無線端末と同じサービス又はグループの同報データの送信を要求するための同報データ送信要求を、第２の無線端末から受信して、前記カウンタの値を加算し、
加算された前記カウンタの値と、前記閾値とを比較し、
前記カウンタの値が該閾値以上、又は、前記カウンタの値が該閾値より大きい場合に、第１の無線端末及び第２の無線端末と共有チャネルを設定し、
第１の無線端末との占有チャネルを解放し、
第１の無線端末及び第２の無線端末への同報データを、設定された共有チャネルにより送信する前記基地局。
【請求項２】
前記記憶部は、
同報データ送信のサービス又はグループを識別するためのマルチキャスト識別子に対応して、同報データを受信する第１及び／又は第２の無線端末に応じたユーザ識別子又は端末識別子が記憶される対応表がさらに記憶され、
前記処理部は、
占有チャネルが設定された第１の無線端末のユーザ識別子又は端末識別子を、送信される同報データに応じたマルチキャスト識別子に対応して前記対応表に記憶し、
第２の無線端末から受信した同報データ送信要求に含まれるマルチキャスト識別子に対応して、第２の無線端末に応じたユーザ識別子又は端末識別子を前記対応表に記憶し、
前記対応表に記憶されているユーザ識別子又は端末識別子に応じた第１及び第２の無線端末に対して、共有チャネルを設定する請求項１に記載の基地局。
【請求項３】
前記処理部は、
前記カウンタの値が前記閾値より小さい、又は、前記カウンタの値が前記閾値以下の場合に、第２の通信端末と占有チャネルを設定し、
第１及び第２の無線端末への同報データを、それぞれの占有チャネルにより送信する請求項１又は２に記載の基地局。
【請求項４】
設定された共有チャネルにより、第１及び第２の無線端末へ同報データ通信のサービス提供中において、
前記処理部は、さらに、
第１及び第２の無線端末から定期的に送信されるマルチキャスト登録要求信号を、直前に該要求信号を受信してから所定時間内に、第１及び第２の無線端末のいずれかから受信できなかった場合に、前記カウンタの値を減算し、
減算された前記カウンタの値と、前記閾値とを比較し、
前記カウンタの値が該閾値より小さい場合に、又は、前記カウンタの値が該閾値以下の場合に、マルチキャスト登録要求信号を受信した第１又は第２の無線端末と占有チャネルを設定し、
第１及び第２の無線端末との共有チャネルを解放し、
第１又は第２の無線端末への同報データを、設定された占有チャネルにより送信する請求項１乃至３のいずれかに記載の基地局。
【請求項５】
設定された共有チャネルにより、第１及び第２の無線端末へ同報データ通信のサービス提供中において、
前記処理部は、さらに、
第１又は第２の無線端末から圏外検出信号を受信した場合に、前記カウンタの値を減算し、
減算された前記カウンタの値と、前記閾値とを比較し、
前記カウンタの値が該閾値より小さい場合に、又は、前記カウンタの値が該閾値以下の場合に、圏外検出信号を受信した第１又は第２の無線端末以外の無線端末と占有チャネルを設定し、
第１及び第２の無線端末との共有チャネルを解放し、
第１又は第２の無線端末への同報データを、設定された占有チャネルにより送信する請求項１乃至３のいずれかに記載の基地局。
【請求項６】
同報データ通信のサービスを受けるユーザの数又は無線端末の数をカウントするカウンタと、
複数の無線端末に共通に使用される共有チャネルにより同報データを無線端末へ送信するよりも、それぞれの無線端末についての占有チャネルにより同報データを送信した方が、使用される無線リソースが小さくなる端末数と、それぞれの無線端末について占有チャネルにより同報データを送信するよりも、共有チャネルにより同報データを送信した方が、使用される無線リソースが小さくなる端末数との境界を示す閾値が予め記憶される記憶部と、
前記カウンタの値と前記閾値とに応じて、占有チャネル及び／又は共有チャネルにより同報データを送信するための処理部と
を備えた基地局であって、
前記処理部は、
第１及び第２の無線端末と共有チャネルを設定し、設定された共有チャネルにより同報データを第１及び第２の無線端末へ送信し、
定期的に又は不定期に送信される第２の無線端末からのマルチキャスト登録要求信号を、直前に該要求信号を受信してから所定時間内に受信できなかった場合に、又は、第２の無線端末から圏外検出信号を受信した場合に、前記カウンタの値を減算し、
減算された前記カウンタの値と、前記閾値とを比較し、
前記カウンタの値が該閾値より小さい場合に、又は、前記カウンタの値が該閾値以下の場合に第１の無線端末と占有チャネルを設定し、
第１及び第２の無線端末との共有チャネルを解放し、
第１の無線端末への同報データを、設定された占有チャネルにより送信する前記基地局。
【請求項７】
前記記憶部は、
同報データ送信のサービスを識別するためのマルチキャスト識別子に対応して、同報データを受信する第１及び／又は第２の無線端末に応じたユーザ識別子又は端末識別子が記憶される対応表がさらに記憶され、
前記処理部は、
マルチキャスト登録要求信号を受信できなかった、又は、圏外検出信号を受信した第２の無線端末に対応するユーザ識別子又は端末識別子を前記対応表から削除し、
所定のマルチキャスト識別子について、前記対応表に記憶されているユーザ識別子又は端末識別子が示す第１の無線端末に対して、占有チャネルを設定する
請求項６に記載の基地局。
【請求項８】
前記処理部は、
第１又は第２の無線端末から同報データ送信要求を受信すると、前記カウンタの値に従い、第１又は第２の無線端末と占有チャネル又は共有チャネルのいずれかを設定する請求項１又は６に記載の基地局。
【請求項９】
同報データを第１及び第２の無線端末へ送信するための同報データ送信方法であって、
第１の無線端末と占有チャネルを設定して、設定された占有チャネルで所定のサービスの同報データを第１の無線端末へ送信するステップと、
第１の無線端末と同じサービスの同報データの送信を要求するための同報データ送信要求を、第２の無線端末から受信して、同報データ通信のサービスを受けるユーザの数又は無線端末の数をカウントするカウンタの値を加算するステップと、
（ａ）加算されたカウンタの値と、（ｂ）複数の無線端末に共通に使用される共有チャネルにより同報データを無線端末へ送信するよりも、それぞれの無線端末についての占有チャネルにより同報データを送信した方が、使用される無線リソースが小さくなる端末数、及び、それぞれの無線端末について占有チャネルにより同報データを送信するよりも、共有チャネルにより同報データを送信した方が、使用される無線リソースが小さくなる端末数の境界を示す閾値と、を比較するステップと、
カウンタの値が閾値以上、又は、カウンタの値が閾値より大きい場合に、第１の無線端末及び第２の無線端末と共有チャネルを設定するステップと、
第１の無線端末との占有チャネルを解放するステップと、
第１の無線端末及び第２の無線端末への同報データを、設定された共有チャネルにより送信するステップと
を含む前記同報データ送信方法。
【請求項１０】
同報データを第１及び第２の無線端末へ送信するための同報データ送信方法であって、
第１及び第２の無線端末と共有チャネルを設定し、設定された共有チャネルにより同報データを第１及び第２の無線端末へ送信するステップと、
定期的に送信される第２の無線端末からのマルチキャスト登録要求信号を、直前に該要求信号を受信してから所定時間内に受信できなかった場合に、又は、第２の無線端末から圏外検出信号を受信した場合に、同報データ通信のサービスを受けるユーザの数又は無線端末の数をカウントするカウンタの値を減算するステップと、
（ａ）減算されたカウンタの値と、（ｂ）共有チャネルにより同報データを無線端末へ送信するよりも、それぞれの無線端末について占有チャネルにより同報データを送信した方が、使用される無線リソースが小さくなる端末数、及び、それぞれの無線端末について占有チャネルにより同報データを送信するよりも、共有チャネルにより同報データを送信した方が、使用される無線リソースが小さくなる端末数の境界を示す閾値と、を比較するステップと、
カウンタの値が閾値より小さい場合に、又は、カウンタの値が閾値以下の場合に第１の無線端末と占有チャネルを設定するステップと、
第１及び第２の無線端末との共有チャネルを解放するステップと、
第１の無線端末への同報データを、設定された占有チャネルにより送信するステップと
を含む前記同報データ送信方法。
【発明の詳細な説明】
【技術分野】
【０００１】
本発明は、基地局及び同報データ送信方法に係り、特に、ブロードキャストチャネル（共有チャネル）と占有チャネルとを備える無線システムにおける基地局及び同報データ送信方法に関する。
【背景技術】
【０００２】
同一データを複数ユーザに配信しようとした際には、各ユーザ毎の占有チャネル（トラフィックチャネル）を使用し、データを送信していた。占有チャネルを使用するため、各ユーザからの占有チャネルの確立／解放要求処理を必要とし、占有チャネルリソースも多量に消費し、必ずしも効率の良い状況でない場合がある。結果として、同配信方式は通信事業者にとってコスト高となる（図１、図２）。
【０００３】
図１は、ＣＤＭＡ２０００方式などで使用されている、従来の同報データ送信方法の例である。図１に示すように、同一データを同報データ格納装置であるＡＰＰサーバ（アプリケーションサーバ、以下ＡＰＰサーバと記す）（５００）から送出するときすでに、複数ユーザ又は端末ＡＴ（１００）宛てのＩＰアドレスを付与して送信している。これら同報データは、ＡＰＰサーバ（５００）からＰＤＳＮ（４００）、ＰＣＦ（３００−１）、ＡＮ（３００−２）等を介してＡＴ（１００）に届けられる。
【０００４】
よってユーザが受信するデータ内容は同一であるが、受信端末数と同じ数のデータを送信しており、トラヒック的にも負荷がかかっていた。特に無線区間においては、固有の端末毎に占有チャネルを設定する必要があり、無線リソースの使用においては効率が良くない場合があった。
【０００５】
図２は、１ユーザが同報データを受信するまでのシーケンスを示したものである。概略を示すと、ユーザ端末電源ＯＮ後、端末−ＡＮ／ＰＣＦ（無線基地局／パケット制御装置、以下ＡＮ／ＰＣＦ）（３００）間でコネクションを確立し、ユーザが同報サービスを受信したいと思った時に、端末から同報データ要求を送信することにより、同報データを受信することが出来る。各端末毎に、このシーケンスを実施するものであり、同報データは端末毎の占有チャネルを使用するものである。
【０００６】
シーケンスの各処理を以下に示す。ＡＴ１（１００−１）が０．電源をＯＮすると（Ｓ４００）、ＡＴ１（１００−１）はＡＮ／ＰＣＦ（３００）に向けて１．位置登録信号を送出する（Ｓ４０１）。ＡＮ／ＰＣＦ（３００）ではこの信号を受信すると、ＭＳＣ（Ｍｏｂｉｌｅ  Ｓｗｉｔｃｈｉｎｇ  Ｃｅｎｔｅｒ）（３５０）へ２．位置登録を送出する（Ｓ４０２）。ＭＳＣ（３５０）では、この位置登録信号を送出したＡＴが正規の端末登録をされた端末であるかを確認するため、ＨＬＲ（Ｈｏｍｅ  Ｌｏｃａｔｉｏｎ  Ｒｅｇｉｓｔｏｒ）（３６０）に対して３．ユーザ照会を行なう（Ｓ４０３）。ユーザ照会が認証されると以降のシーケンスが継続される。
【０００７】
ＡＮ／ＰＣＦ（３００）は、ＡＴ１（１００−１）からの４．コネクション要求を受信すると（Ｓ４０４）、ＡＮ／ＰＣＦ（３００）−ＰＤＳＮ（４００）間で５．占有チャネルパス設定を確立する（Ｓ４０５）。その後、ＡＮ／ＰＣＦ（３００）は、ＡＴ１との間で６．占有チャネルパス設定を行なう（Ｓ４０６）。ＡＮ／ＰＣＦ（３００）−ＡＴ１（１００−１）間で占有チャネルパス設定が確立すると、ユーザが同報サービスを受信したいと思った時に、ＡＴ１（１００−１）から７．同報データ送信要求をＡＮ／ＰＣＦ（３００）へ送信する（Ｓ４０７）。ＡＮ／ＰＣＦ（３００）は、これを受信するとＰＤＳＮ（４００）へ８．同報データ送信要求を送信し（Ｓ４０８）、ＰＤＳＮ（４００）はＡＰＰサーバ（５００）へ９．同報データ送信要求を送信する（Ｓ４０９）。
【０００８】
ＡＰＰサーバ（５００）ではこの後、１０．同報データをＰＤＳＮ（４００）へ送信し（Ｓ４１０）、ＰＤＳＮ（４００）は占有チャネルを使用して、ＡＮ／ＰＣＦ（３００）へ１１．同報データを送信する（Ｓ４１１）。ＡＮ／ＰＣＦ（３００）はＡＴ１（１００−１）へ占有チャネルを使用し、１２．同報データをＡＴ１（１００−１）へ送信する。
【０００９】
また近年、無線リソースの効率化を図るために、３ＧＰＰ２（３ｒｄＧｅｎｅｒａｔｉｏｎ  Ｐａｒｔｎｅｒｓｈｉｐ  Ｐｒｏｊｅｃｔ２）Ｃ．Ｓ００５４のＢＣＭＣＳ（ＢｒｏａｄｃａｓｔＭｕｌｔｉｃａｓｔＳｅｒｖｉｃｅ）方式で示すように共有チャネルを使用した同報データ送信方式が検討されている（例えば、非特許文献１参照）。同一データを複数ユーザに送信する場合に、一つの共有チャネルを用いることにより、効率的な無線リソース利用を図るものである。
【００１０】
ＢＣＭＣＳ方式は、３ＧＰＰ２で規定されているＢｒｏａｄｃａｓｔＭｕｌｔｉｃａｓｔＳｅｒｖｉｃｅ方式のインタフェース仕様であり、Ｃ．Ｓ００５４として規定されている。ネットワーク機器と移動端末間でやり取りする同報データの送受信に関する仕様を規定するものである。
【非特許文献１】３ＧＰＰ２  Ｃ．Ｓ００５４、ＢＣＭＣＳ（ＢｒｏａｄｃａｓｔＭｕｌｔｉｃａｓｔＳｅｒｖｉｃｅ）、３ＧＰＰ２発行
【発明の開示】
【発明が解決しようとする課題】
【００１１】
３ＧＰＰ２  Ｃ．Ｓ００５４のＢＣＭＣＳ方式では、基地局下にＢｒｏａｄｃａｓｔデータを受信する端末がいてもいなくても、固定的に基地局から送信するＳｔａｔｉｃ  Ｂｒｏａｄｃａｓｔと、受信するユーザ（端末）がいる基地局下にのみ、ブロードキャスト用のデータを送信するＤｙｎａｍｉｃ  Ｂｒｏａｄｃａｓｔの２方式が検討されている（図３、図４、図５、図６、図７、図８）。
【００１２】
同報データ（コンテンツ）は、コンテンツ毎にＢＣＭＣＳ＿ＦＬＯＷ＿ＩＤを持っており、同報パス設定要求時に、この同報パス設定要求メッセージの中に、ＢＣＭＣＳ＿ＦＬＯＷ＿ＩＤを載せて送信する。同報パス設定が確立すると、パス開放までこのＢＣＭＣＳ＿ＦＬＯＷ＿ＩＤを識別子として、同報データの識別に使用する。
【００１３】
図３は、無線区間で一つの共有チャネルを用いて複数ユーザに同一データを送信する方法を示したものである。宛先を識別するアドレスは端末に固有の識別子を使用しないため、複数ユーザに、同時に同一データを送信することができる。
【００１４】
図４は、同報エリアを拡大した場合を想定した図である。一つのＡＮ（無線基地局）がカバーするエリアを同報エリアと想定した場合は、マルチキャストルータ（４５０）で複数のＰＤＳＮ（４００）に同報データを分配する。ＰＤＳＮ（４００）より先においては、同報データであることを認識すると、配下装置全てに配信することで同報が可能となる。なお、各装置は、例えばＢＣＭＣＳ＿ＦＬＯＷ＿ＩＤを参照して、同報データであるか否かを認識することができる。
【００１５】
同報データのサービス形態（送信契機）は以下の２パターンがあると考えられる。一つめは、携帯加入者全員に送信するブロードキャストイメージのサービスであり、通信事業者がＯＭＣ（オペレーションメンテナンスセンタ）を介し、同報データ送信指示を行うことにより送信開始する。対象情報としては、例えば非常時におけるニュース速報などが考えられ、これらのデータは暗号化されず、無条件に受信できる。
【００１６】
図５は、ＯＭＣ指示契機による同報データ送信開始方法（Ｓｔａｔｉｃ  Ｂｒｏａｄｃａｓｔ方式）のシーケンス図である。概略を説明すると、ＯＭＣ（５５０）からＡＮ／ＰＣＦ（３００）に「同報パス設定要求」が出されると、ＡＮ／ＰＣＦ（３００）から「ＢＣＭＣＳセッション情報取得」がＰＤＳＮ（４００）へ送信され、ＰＤＳＮ−ＡＮ／ＰＣＦ間に「同報データ用パス」およびＡＮ／ＰＣＦ−ＡＴ１間に「共有チャネルパス」が設定され、同報データが送信される。この方法は、Ｓｔａｔｉｃ  Ｂｒｏａｄｃａｓｔ方式に該当する。
【００１７】
以下、図５の各処理について説明する。ＡＮ／ＰＣＦとＰＤＳＮ間では、同報データ用パスが設定されていないため、ＰＤＳＮ（４００）は、ＡＰＰサーバ（５００）から送信される同報データを受信しても（Ｓ８０１）、ＡＮ／ＰＣＦ（３００）にはその同報データを送信できない（Ｓ８０２）。
【００１８】
ＯＭＣ（５５０）は、メンテナンスオペレーションセンタである。例えばシステム保守者（通信事業者）が操作するワークステーションが設置されており、保守者はこのワークステーションよりコマンドを投入し、保守作業を行なうことができる。通信事業者は、ＯＭＣ（５５０）からＡＮ／ＰＣＦ（３００）へ３．同報パス設定要求を送出する（Ｓ８０３）。例えば、ＯＭＣ（５５０）は、保守者からの指示を入力した際、又は、非常時などの状態であることを他の装置から受信した際など、適宜の契機で同報データパス設定要求を送出することができる。
【００１９】
ＡＮ／ＰＣＦ（３００）がこれを受信すると、ＰＤＳＮ（４００）へ４．ＢＣＭＣＳセッション情報取得（Ａ１１−ＢＣ  ＩｎｆｏＲｅｑｕｅｓｔ）を送出する（Ｓ８０４）。ＰＤＳＮ（４００）はＢＣＭＣＳＩｎｆｏＲｅｑｕｅｓｔをＡＰＰ（５００）サーバへ送出する（Ｓ８０５）。ＡＰＰ（５００）サーバは、６．ＢＣＭＣＳＩｎｆｏＲｅｓｐｏｎｓｅをＰＤＳＮ（４００）へ返送する（Ｓ８０６）。これを受信したＰＤＳＮ（４００）はＡＮ／ＰＣＦ（３００）へ７．ＢＣＭＣＳセッション情報取得応答（Ａ１１−ＢＣ  ＩｎｆｏＲｅｓｐｏｎｓｅ）を送出する（Ｓ８０７）。
【００２０】
これを受信したＡＮ／ＰＣＦ（３００）は、ＰＤＳＮ（４００）へ８．同報パス設定要求（Ａ１１−ＢＣ  ＲｅｇｉｓｔｏｒａｔｉｏｎＲｅｑｕｅｓｔ）を送出する（Ｓ８０８）。ＰＤＳＮ（４００）は、ＡＮ／ＰＣＦ（３００）へ９．同報パス設定要求応答（Ａ１１−ＢＣ  ＲｅｇｉｓｔｏｒａｔｉｏｎＲｅｐｌｙ）を送出する（Ｓ８０９）。これで１０．同報データ用パスが設定される（Ｓ８１０）。ＡＮ／ＰＣＦ（３００）は、ＰＤＳＮ（４００）との間に同報データ用パス設定が確立完了した時点で、ＯＭＣ（５５０）へ１１．パス設定完了通知を返送する（Ｓ８１１）。
【００２１】
ＡＮ／ＰＣＦ（３００）は、ＭａｃＩｎｄｅｘ＝５を動的に割り当て、対象となるセクタに対して、チャネルの割り当てを指示する（無線チャネル割り当て処理、Ｓ８３０）。なお、対象となるセクタは、全てのセクタであってもよいし、ＯＭＣ（５５０）からセクタが指定されても良い。この実行後、ＡＴ１（１００−１）との間に１２．共有チャネル設定を行なう（Ｓ８１２）。ＡＰＰサーバ（５００）は、同報データの送信を要求するため、１３．同報データ送信を開始する（Ｓ８１３）。ＰＤＳＮ（４００）は、１４．同報データ送信により、ＡＮ／ＰＣＦ（３００）へ送出する（Ｓ８１４）。ＡＮ／ＰＣＦ（３００）は共有チャネルを使用して、ＡＴ１（１００−１）へ１５．同報データ送信を行なう（Ｓ８１５）。
【００２２】
同報データの送出が完了すると、ＯＭＣ（５５０）から１６．同報パス開放要求が送出される（Ｓ８１６）。ＡＮ／ＰＣＦ（３００）がこれを受信すると、ただちに開放要求を受け付けたことを通知するためにＯＭＣ（５５０）へ１７．同報パス開放受付通知を返送する（Ｓ８１７）。また、ＰＤＳＮ（４００）へ１８．同報パス開放要求を送出する（Ｓ８１８）。ＰＤＳＮ（４００）は、ＡＮ／ＰＣＦ（３００）へ１９．同報パス開放要求応答を返送する（Ｓ８１９）。これで、ＡＮ／ＰＣＦ（３００）とＰＤＳＮ（４００）間の２０．同報データ用パスが開放される（Ｓ８２０）。ＡＮ／ＰＣＦ（３００）は２１．無線チャネル開放処理を実行し（Ｓ８２１）、ＡＴ１（１００−１）間の２２．共有チャネルが開放される（Ｓ８２２）。
【００２３】
サービス形態（送信契機）の二つめは、サービスを受けたいユーザのみに送信するマルチキャストイメージのサービスであり、端末の電源ＯＮなどを契機に自動的に送信する。対象情報としては、例えば地域情報、天気予報、ニュースなどが考えられ、これらのデータは暗号化されることができる。オプションサービスの一つと位置づけられる。
【００２４】
図６は、端末要求契機により共有チャネルを使用した場合の同報データ送信方法の例である。概略を説明すると、ユーザ端末電源ＯＮ後、端末−ＡＮ間でコネクション確立後、例えばユーザが同報サービスを受信したいと思った時に、端末から同報データ要求を送信することにより、同報データを受信することが出来る。各端末毎に、このシーケンスを実施するものであり、同報データは全端末共通の共有チャネルを使用するものである。この方法は、Ｄｙｎａｍｉｃ  Ｂｒｏａｄｃａｓｔ方式に該当する。
【００２５】
以下、図６の各処理について説明する。
ＡＮ／ＰＣＦとＰＤＳＮ間では、同報データ用パスが設定されていないため、ＰＤＳＮ（４００）は、ＡＰＰサーバ（５００）から送信される同報データを受信しても（Ｓ９０１）、ＡＮ／ＰＣＦ（３００）にはその同報データを送信できない（Ｓ９０２）。ＡＴ１（１００−１）の３．電源がＯＮされると（Ｓ９０３）、図２で示したようにＡＴ１（１００−１）は位置登録を行った後、４．端末認証のシーケンスを実行し、ユーザ照会がＯＫとなるとＡＮ／ＰＣＦ−ＰＤＳＮ間、ＡＴ１−ＡＮ／ＰＣＦ間で占有チャネルパス設定が確立する（Ｓ９０４）。その後、ＡＴ１（１００−１）はＡＰＰサーバ（５００）との間で５．ＢＣＭＣＳアクセス情報の取得を行う（Ｓ９０５）。ＡＴ１（１００−１）は、例えばユーザからの指示入力により、６．同報データ送信要求（ＢＣＭＣＳ  Ｆｌｏｗ  Ｒｅｇｉｓｔｒａｔｉｏｎ）を送出する（Ｓ９０６）。以降シーケンスＡが実行される（Ｓ９３０）。
【００２６】
シーケンスＡでは、まずＡＮ／ＰＣＦ（３００）は、ＰＤＳＮ（４００）へ７．ユーザ認証＆ＢＣＭＣＳセッション情報取得（Ａ１１−ＢＣ  Ｉｎｆｏ  Ｒｅｑｕｅｓｔを送出する（Ｓ９０７）。ＰＤＳＮ（４００）はＡＰＰサーバ（５００）へ８．ＢＣＭＣＳ  Ｉｎｆｏ  Ｒｅｑｕｅｓｔを送出し（Ｓ９０８）、ＡＰＰサーバ（５００）は、９．ＢＣＭＣＳ  Ｉｎｆｏ  Ｒｅｓｐｏｎｓｅを返送する（Ｓ９０９）。ＰＤＳＮ（４００）は
１０．ユーザ認証＆ＢＣＭＣＳセッション情報応答（Ａ１１−ＢＣ  Ｉｎｆｏ  Ｒｅｓｐｏｎｓｅ）をＡＮ／ＰＣＦ（３００）へ送出する（Ｓ９１０）。
【００２７】
この後、ＡＮ／ＰＣＦ（３００）はＰＤＳＮ（４００）へ１１．同報パス設定要求（Ａ１１−ＢＣ  Ｒｅｇｉｓｔｏｒａｔｉｏｎ  Ｒｅｑｕｅｓｔ）を送出し（Ｓ９１１）、ＰＤＳＮ（４００）は、ＡＮ／ＰＣＦ（３００）へ１２．同報パス設定要求応答（Ａ１１−ＢＣ  Ｒｅｇｉｓｔｏｒａｔｉｏｎ  Ｒｅｐｌｙ）を返送する（Ｓ９１２）。これにより、ＡＮ／ＰＣＦ（３００）とＰＤＳＮ（４００）間に１３．同報データ用パスが設定される。
【００２８】
この後、ＡＮ／ＰＣＦ（３００）は、１４．無線チャネル割り当て処理を実行後（Ｓ９１４）、ＡＴ１（１００−１）との間に１５．共有チャネル設定を行なう（Ｓ９１５）。ＡＰＰサーバ（５００）から１６．同報データ送信開始が行なわれ、ＰＤＳＮ（４００）は同報データを保持している（Ｓ９１６）。この同報データを１７．同報データ送信により、ＡＮ／ＰＣＦ（３００）へ送出する（Ｓ９１７）。ＡＮ／ＰＣＦ（３００）は共有チャネルを使用して、ＡＴ１（１００−１）へ１８．同報データ送信を行なう（Ｓ９１８）。
【００２９】
図７及び図８は、同報データを無線リソースのどのチャネルを使用して送信するかを示した図である（ＣＤＭＡ２０００  １ｘＥＶ−ＤＯの場合）。図７に示す同報データは、各ユーザに割り当てられるＵｓｅｒ  Ｄａｔａ領域の占有チャネルを使用して送信される。図８に示す同報データは、同報データ用に割り当てられるＵｓｅｒ  Ｄａｔａ領域の共有チャネルを使用して送信される。ＣＤＭＡ２０００、１ｘＥＶ−ＤＯシステムでは、この共有チャネルに、ＭａｃＩｎｄｅｘ＝５を固定的に割り付けている。占有チャネルはＭａｃＩｎｄｅｘ＝６〜６３を使用する。ＭａｃＩｎｄｅｘとは、変調の掛け方のパターンであり、ＣＤＭＡ２０００、１ｘＥＶ−ＤＯシステムでは６４パターンある。
【００３０】
ブロードキャストおよびマルチキャスト用の共有チャネルは、下り方向データしか流れないため、端末からのＡｃｋ信号は期待しない。よって、確実に受信できるように、強めのＦＥＣ（Ｆｏｒｗａｒｄ  Ｅｒｒｏｒ  Ｃｏｒｅｃｔｉｏｎ）にしており、一部のエラーがあっても訂正ができるようになっている。
【００３１】
このため、共有チャネルは占有チャネルよりも帯域を大きくとってあり、このチャネルを使用することは、一般ユーザのトラフィックに影響を与えることになる。一例として、端末に固有の占有チャネルの下りレートは３８．４ｋまたは、７６．８ｋであるが、共有チャネルは、２．４Ｍある。
【００３２】
３ＧＰＰ２  Ｃ．Ｓ００５４のＢＣＭＣＳで示す方式であっても、無線リソースを必ずしも最適に使用しているとはいえない場合がある。同報サービスに加入しているユーザ端末が少ない場合では共有チャネルを確保して、同報データを送信することにより、端末毎の占有チャネルを使用した場合に比べて多くのリソースを割り当て効率が悪くなる可能性がある。一方、ユーザ端末が多い場合では、端末毎に占有チャネルを使用して同報データを送信すると、共有チャネルを使用する場合に比べてリソースの割り当て効率が悪くなる場合がある。
【００３３】
本発明は、以上の点に鑑み、ユーザ端末の存在しないエリアへは同報データを送信しない方法における具体的な契機を提供すること、および、ユーザ端末の少ないエリアでは占有チャネルを使用し、ユーザの端末の多いエリアでは共有エリアを使用して無線リソースを最大限有効に使用することを目的とする。また、本発明は、同報データを複数ユーザへ配信する際に使用する無線リソース量を削減することを目的とする。
【課題を解決するための手段】
【００３４】
本発明は、占有チャネルによるデータ送信と、共有チャネルによるデータ送信を切り替える手段を備えたことを特徴のひとつとする。基地局（ＡＮ）のデータ送信対象が少数（例えば１、２台）であるときには、共有チャネルを用いるよりも占有チャネルを用いた方が無線リソースの有効利用が見込まれるため、本発明は占有チャネルによるデータ送信と、共有チャネルによるデータ送信を切り替える手段を有する。
【００３５】
具体的な切り替え手順としては、ＰＣＦの管理する同報対象移動機数が閾値を超えた、もしくは下回った際に、占有チャネルと共有チャネルとを相互に切り替える方式とすることができる（図１２、図１５、図１３、詳細は後述する）。ＰＣＦの管理する同報対象移動機の現在稼動中にある同報対象移動機数のカウントの条件は以下となる。
（１）端末認証の成功時に同報対象移動機数は増加カウントする。
（２）同報対象ＡＴがＰＣＦ間ハンドオフし、該当ＰＣＦの管理エリアに移動した際に増加カウントする。
【００３６】
本発明の第１の解決手段によると、
同報データ通信のサービスを受けるユーザの数又は無線端末の数をカウントするカウンタと、
複数の無線端末に共通に使用される共有チャネルにより同報データを無線端末へ送信するよりも、それぞれの無線端末についての占有チャネルにより同報データを送信した方が、使用される無線リソースが小さくなる端末数と、それぞれの無線端末について占有チャネルにより同報データを送信するよりも、共有チャネルにより同報データを送信した方が、使用される無線リソースが小さくなる端末数との境界を示す閾値が予め記憶される記憶部と、
前記カウンタの値と前記閾値とに応じて、占有チャネル及び／又は共有チャネルにより同報データを送信するための処理部と
を備えた基地局であって、
前記処理部は、
第１の無線端末と占有チャネルを設定して、設定された占有チャネルで所定のサービス又はグループの同報データを第１の無線端末へ送信し、
第１の無線端末と同じサービス又はグループの同報データの送信を要求するための同報データ送信要求を、第２の無線端末から受信して、前記カウンタの値を加算し、
加算された前記カウンタの値と、前記閾値とを比較し、
前記カウンタの値が該閾値以上、又は、前記カウンタの値が該閾値より大きい場合に、第１の無線端末及び第２の無線端末と共有チャネルを設定し、
第１の無線端末との占有チャネルを解放し、
第１の無線端末及び第２の無線端末への同報データを、設定された共有チャネルにより送信する前記基地局が提供される。
【００３７】
本発明の第２の解決手段によると、
同報データ通信のサービスを受けるユーザの数又は無線端末の数をカウントするカウンタと、
複数の無線端末に共通に使用される共有チャネルにより同報データを無線端末へ送信するよりも、それぞれの無線端末についての占有チャネルにより同報データを送信した方が、使用される無線リソースが小さくなる端末数と、それぞれの無線端末について占有チャネルにより同報データを送信するよりも、共有チャネルにより同報データを送信した方が、使用される無線リソースが小さくなる端末数との境界を示す閾値が予め記憶される記憶部と、
前記カウンタの値と前記閾値とに応じて、占有チャネル及び／又は共有チャネルにより同報データを送信するための処理部と
を備えた基地局であって、
前記処理部は、
第１及び第２の無線端末と共有チャネルを設定し、設定された共有チャネルにより同報データを第１及び第２の無線端末へ送信し、
定期的に又は不定期に送信される第２の無線端末からのマルチキャスト登録要求信号を、直前に該要求信号を受信してから所定時間内に受信できなかった場合に、又は、第２の無線端末から圏外検出信号を受信した場合に、前記カウンタの値を減算し、
減算された前記カウンタの値と、前記閾値とを比較し、
前記カウンタの値が該閾値より小さい場合に、又は、前記カウンタの値が該閾値以下の場合に第１の無線端末と占有チャネルを設定し、
第１及び第２の無線端末との共有チャネルを解放し、
第１の無線端末への同報データを、設定された占有チャネルにより送信する前記基地局が提供される。
【００３８】
本発明の第３の解決手段によると、
同報データを第１及び第２の無線端末へ送信するための同報データ送信方法であって、
第１の無線端末と占有チャネルを設定して、設定された占有チャネルで所定のサービスの同報データを第１の無線端末へ送信するステップと、
第１の無線端末と同じサービスの同報データの送信を要求するための同報データ送信要求を、第２の無線端末から受信して、同報データ通信のサービスを受けるユーザの数又は無線端末の数をカウントするカウンタの値を加算するステップと、
（ａ）加算されたカウンタの値と、（ｂ）複数の無線端末に共通に使用される共有チャネルにより同報データを無線端末へ送信するよりも、それぞれの無線端末についての占有チャネルにより同報データを送信した方が、使用される無線リソースが小さくなる端末数、及び、それぞれの無線端末について占有チャネルにより同報データを送信するよりも、共有チャネルにより同報データを送信した方が、使用される無線リソースが小さくなる端末数の境界を示す閾値と、を比較するステップと、
カウンタの値が閾値以上、又は、カウンタの値が閾値より大きい場合に、第１の無線端末及び第２の無線端末と共有チャネルを設定するステップと、
第１の無線端末との占有チャネルを解放するステップと、
第１の無線端末及び第２の無線端末への同報データを、設定された共有チャネルにより送信するステップと
を含む前記同報データ送信方法が提供される。
【００３９】
本発明の第４の解決手段によると、
同報データを第１及び第２の無線端末へ送信するための同報データ送信方法であって、
第１及び第２の無線端末と共有チャネルを設定し、設定された共有チャネルにより同報データを第１及び第２の無線端末へ送信するステップと、
定期的に送信される第２の無線端末からのマルチキャスト登録要求信号を、直前に該要求信号を受信してから所定時間内に受信できなかった場合に、又は、第２の無線端末から圏外検出信号を受信した場合に、同報データ通信のサービスを受けるユーザの数又は無線端末の数をカウントするカウンタの値を減算するステップと、
（ａ）減算されたカウンタの値と、（ｂ）共有チャネルにより同報データを無線端末へ送信するよりも、それぞれの無線端末について占有チャネルにより同報データを送信した方が、使用される無線リソースが小さくなる端末数、及び、それぞれの無線端末について占有チャネルにより同報データを送信するよりも、共有チャネルにより同報データを送信した方が、使用される無線リソースが小さくなる端末数の境界を示す閾値と、を比較するステップと、
カウンタの値が閾値より小さい場合に、又は、カウンタの値が閾値以下の場合に第１の無線端末と占有チャネルを設定するステップと、
第１及び第２の無線端末との共有チャネルを解放するステップと、
第１の無線端末への同報データを、設定された占有チャネルにより送信するステップと
を含む前記同報データ送信方法が提供される。
【発明の効果】
【００４０】
本発明によると、ユーザ端末の存在しないエリアへは同報データを送信しない方法における具体的な契機を提供すること、および、ユーザ端末の少ないエリアでは占有チャネルを使用し、ユーザの端末の多いエリアでは共有エリアを使用して無線リソースを最大限有効に使用することができる。また、本発明によると、同報データを複数ユーザへ配信する際に使用する無線リソース量を削減することができる。
【発明を実施するための最良の形態】
【００４１】
図９は、本実施の形態を適用する移動体無線通信システムの構成例である。無線通信システムは、以下のように構成されデータ通信を行う。
無線通信システムは、例えば、無線通信端末（ＡＴ）１００と、無線基地局／パケット制御装置（ＡＮ／ＰＣＦ）３００と、パケットデータサービングノード（ＰＤＳＮ）４００と、アプリケーションサーバ（ＡＰＰサーバ）５００と、オペレーションメンテナンスセンタ（ＯＭＣ）５５０とを備える。なお、無線基地局／パケット制御装置（ＡＮ／ＰＣＦ）３００は、ひとつのブロックで記載されているが、ひとつの装置であってもよいし、無線基地局とパケット制御装置は別々の装置であってもよい。
無線通信端末（ＡＴ）（１００）は、無線基地局（ＡＮ／ＰＣＦ）（３００）との間で無線による通信路を確立する。
【００４２】
ＡＮ／ＰＣＦ（３００）が管理する無線エリアをセクタと呼び、それぞれのセクタ内では、複数のＡＴ（１００）がＡＮ／ＰＣＦ（３００）に接続可能である。また、ＡＮ／ＰＣＦ（３００）は有線接続によりＰＤＳＮ（パケットデータサービングノード）（４００）に接続される。ＰＤＳＮ（４００）には、複数のＡＮ／ＰＣＦ（３００）が接続可能であり、ＰＤＳＮ（４００）は有線接続によりＡＰＰサーバ（アプリケーションサーバ）  （５００）に接続されている。
【００４３】
前述の通り、ＡＴ（１００）とＡＮ／ＰＣＦ（３００）との間は、無線通信路により接続されており、この無線通信路を介してパケット（１０００）がＡＴ（１００）に届けられる。パケット（１０００）は、ＡＮ／ＰＣＦ（３００）の状態や、ＡＴ（１００）がＡＮ／ＰＣＦ（３００）に接続するのに必要な各種情報を含む報知情報（上述の図７、図８ではＣｏｎｔｒｏｌ  Ｃｈａｎｎｅｌ）（１０５０）と、実際にユーザが取り扱っている通信データ（以下トラフィックデータと称す。上述の図７、図８ではＵｓｅ  Ｄａｔａ）（１１００）とが含まれている。
【００４４】
報知情報（１０５０）およびトラフィックデータ（１１００）は、共に時分割された単位であるスロットが複数集まったものである。また、トラフィックデータエリア（１１００）は、ユーザの通信データを格納するエリアであり、スロット毎に異なるユーザ宛のデータを格納している。
【００４５】
（ハード構成）
図１０に、ＡＮ／ＰＣＦ（３００）のハード構成図の例を示す。
ＡＮ／ＰＣＦ（３００）は、ＣＰＵ（処理部）（３０１）と、対応表（８００）を有するメモリ（３０２）と、カウンタ（３０３）と、タイマ（３０４）と、無線ＩＦ（３０５）と、回線ＩＦ（３０６）と、通信処理部（３０７）とを有する。
【００４６】
ＣＰＵ（３０１）は、各種処理を実行する。カウンタ（３０３）は、同報データ通信のサービスを受けているユーザの数又は無線端末の数をカウントする。タイマ（３０４）は、ＢＣＭＣＳ  ｆｌｏｗ  Ｒｅｇｉｓｔｒａｔｉｏｎを受信することにより起動し、所定時間内に次のＢＣＭＣＳ  ｆｌｏｗ  Ｒｅｇｉｓｔｒａｔｉｏｎが受信されるかを判断するためのものである。次のＢＣＭＣＳ  ｆｌｏｗ  Ｒｅｇｉｓｔｒａｔｉｏｎを受信すると、タイマ（３０４）はリセットされ、再起動される。
【００４７】
無線ＩＦ（３０５）は、ＡＴ（１００）と無線により通信するためのインタフェースである。また、回線ＩＦ（３０６）は、例えばＰＤＳＮ（４００）、ＯＭＣ（５５０）などの装置と通信するためのインタフェースである。通信処理部（３０７）は、各種通信サービス（例えば、同報データ送信）を行うための処理を行う。
【００４８】
メモリ（３０２）は、例えば対応表８００と、予め定められた閾値が記憶される。閾値は、例えば、複数の無線端末に共通に使用される共有チャネルにより同報データを無線端末へ送信するよりも、それぞれの無線端末についての占有チャネルにより同報データを送信した方が、使用される無線リソースが小さくなる端末数と、それぞれの無線端末について占有チャネルにより同報データを送信するよりも、共有チャネルにより同報データを送信した方が、使用される無線リソースが小さくなる端末数との境界を示す値とすることができる。また、閾値は、一例として、共有チャネルにより同報データを送信するよりも、それぞれの端末について占有チャネルを用いた方が、使用する無線リソースが小さくなるような端末数の上限値とすることができる。なお、本実施の形態において、無線リソースとは、例えば、帯域、トラフィック、送受信レート等を含む。
【００４９】
（対応表）
図１１に、対応表（８００）のテーブルフォーマットを示す。対応表（８００）にはＢＣＭＣＳ＿ＦＬＯＷ＿ＩＤとユーザとが対応して記憶される。
ＡＮ／ＰＣＦ（３００）は、ＢＣＭＣＳ＿ＦＬＯＷ＿ＩＤ毎に、対応表（８００−１，２，３）を有する。対応表（８００）には、ＢＣＭＣＳ＿ＦＬＯＷ＿ＩＤに対応して、同報データを享受可能なユーザの識別子が登録してある。なお、ユーザの識別子には、ユーザを特定するための文字、記号、数字などを用いることができる。また、ユーザが使用する端末を特定するための識別子等であってもよい。
【００５０】
対応表（８００）には、所定の契機により、ユーザの識別子が追加され及び削除される。対応表（８００）への追加契機は、例えば、以下の場合である。
（１）ＡＴ電源ＯＮ後の端末認証成功時。
（２）同報対象ＡＴがＰＣＦ間ハンドオフし、該当ＰＣＦの管理エリアに移動した時。
また、対応表（８００）からの削除契機は、例えば、以下の場合である。
（３）該当のＡＴが電源ＯＦＦした時。
（４）同報対象ＡＴがＰＣＦ間ハンドオフし、該当ＰＣＦの管理エリア外へ移動した時。
全ＢＣＭＣＳ＿ＦＬＯＷ＿ＩＤに登録されているユーザ数を示すユーザカウンタｎを持っている。このカウンタｎのカウントの加算条件は、例えば上記の追加契機の条件（１）及び（２）であり、減算条件は例えば削除契機の条件（３）及び（４）とすることができる。
【００５１】
（占有チャネル使用による同報データ送信）
図１２は、主に１ｘＥＶ−ＤＯでの占有チャネルを使用時の同報データ送信方法のシーケンス図である。まず、占有チャネルを使用した同報データ送信について説明する。
概略を説明すると、端末の電源ＯＮを契機に端末認証がなされる。これを契機に同報グループ通知がなされ、ＰＣＦから「同報データ送信要求」がＰＤＳＮ（４００）へ送信され、ＰＤＳＮ−ＰＣＦ間に「占有チャネルパス」が設定され、ＰＣＦ−ＡＮ間およびＡＮ−端末間に「占有チャネル用パス」が設定され、同報データが送信される。
【００５２】
以下に、図１２の各処理を詳細に説明する。
ＡＮ／ＰＣＦとＰＤＳＮ間では、同報データ用パスが設定されていないため、ＰＤＳＮ（４００）は、ＡＰＰサーバ（５００）から送信される同報データを受信しても（Ｓ１０１）、ＡＮ／ＰＣＦ（３００）にはその同報データを送信できない（Ｓ１０２）。
【００５３】
ＡＴ１（１００−１）の３．電源がＯＮされると（Ｓ１０３）、図２で示したようにＡＴ１（１００−１）は位置登録を行った後、４．端末認証のシーケンスを実行する（Ｓ１０４）。ユーザ照会がＯＫとなると、ＡＮ／ＰＣＦ（３００）−ＰＤＳＮ（４００）間、ＡＴ（１００−１）１−ＡＮ／ＰＣＦ間で占有チャネルパス設定が確立する。
【００５４】
その後、ＡＴ１（１００−１）は、ＡＰＰサーバ（５００）との間で５．ＢＣＭＣＳアクセス情報の取得を行う（Ｓ１０５）。例えば、ＡＴ１（１００−１）は、ＢＣＭＣＳ＿ＦＬＯＷ＿ＩＤを取得する。ＡＴ１（１００−１）は、６．同報データ送信要求（ＢＣＭＣＳ  Ｆｌｏｗ  Ｒｅｇｉｓｔｒａｔｉｏｎ）を送出すると、以降、図６に示したシーケンスＡが実行される（Ｓ１０７）。シーケンスＡの説明は、上述の図６の説明と同様であるので省略する。これにより、ＡＮ／ＰＣＦ（３００）とＰＤＳＮ間（４００）に１３．同報データ用パスが設定される（Ｓ１１３）。この後、ＡＮ／ＰＣＦ（３００）は、１４．無線チャネル割り当て処理（Ｓ１１４）を実行後、ＡＴ１（１００−１）との間に１５．占有チャネル設定を行なう（Ｓ１１５）。無線チャネル割り当て処理では、例えば、ＭａｃＩｎｄｅｘを６〜６３のいずれかに割り当て、対象となるセクタに対してチャネルの割り当てを指示する。なお、本実施の形態において、ＡＮ／ＰＣＦ（３００）は、第１の無線端末（又は第２の無線端末）から同報データ送信要求を受信すると、カウンタ（３０３）の値に従い、第１の無線端末（又は第２の無線端末）と占有チャネル又は共有チャネルのいずれかを設定することができる。
【００５５】
ＡＰＰサーバ（５００）から１６．同報データ送信開始が行なわれ（Ｓ１１６）、ＰＤＳＮ（４００）は同報データを保持している。この同報データを１７．同報データ送信により、ＡＮ／ＰＣＦ（３００）へ送出する（Ｓ１１７）。ＡＮ／ＰＣＦ（３００）は、占有チャネルを使用して、ＡＴ１（１００−１）へ１８．同報データ送信を行なう（Ｓ１１８）。
【００５６】
なお、ＡＮ／ＰＣＦ（３００）は、適宜のタイミングで対応表８００に、占有チャネルが設定された第１の無線端末のユーザ識別子又は端末識別子を、送信される同報データに応じたマルチキャスト識別子に対応して記憶することができる。
【００５７】
（占有チャネルから共有チャネルへ切り替え）
図１３は、占有チャネルから共有チャネルへの切り替えのシーケンス図である。なお、図は、１ｘＥＶ−ＤＯ方式での例を示すが、これ以外にも適宜の方式であってもよい。
まず、処理の概略について説明すると、当初ＡＮ／ＰＣＦ−端末間は、「占有チャネル」を用い同報データ転送を行っていたが、新たな端末が認証成功し同報報知対象移動機数が増加した場合を考える。これにより、カウンタ（３０３）の値が閾値を越えたため、ＰＣＦはＡＮに対して「同報データ用パス設定要求」を送出し、ＰＣＦ−ＡＮ間およびＡＮ−端末間に「共有チャネルパス」が設定される。その後、すでに通信中の複数端末では、占有チャネルと共有チャネルの両方を使用して同報データを受信する。その後、ＰＣＦから「占有チャネル解放要求」がＡＮに送出され、占有チャネルが解放される。その後は共有チャネルで同報データ転送が行われる。
【００５８】
以下、図１３の各処理を詳細に説明する。図１３では当初、１．同報データ用パス、２．占有チャネル（ＭａｃＩｎｄｅｘ＝６〜６３）が設定されている（Ｓ２０１、Ｓ２０２）。例えば、図１２に示す処理により、ＡＴ１（１００−１）とＡＮ／ＰＣＦ間で占有チャネルが設定されている。ＡＰＰサーバ（５００）から３．同報データ送信開始が行なわれ（Ｓ２０３）、ＰＤＳＮ（４００）は同報データを保持している。ＰＤＳＮ（４００）は、この同報データを４．同報データ送信により、同報データ用パスを介してＡＮ／ＰＣＦ（３００）へ送出する（Ｓ２０４）。ＡＮ／ＰＣＦ（３００）は設定された占有チャネルを使用して、ＡＴ１（１００−１）（又はＡＴ２（１００−２））へ５．同報データ送信を行なう（Ｓ２０５）。なお、図１３のステップＳ２０３〜２０５は、例えば、図１２のステップＳ１１６〜１１８に対応する。
【００５９】
その後、ＡＴ２（１００−２）が６．電源ＯＮすると（Ｓ２０６）、ＡＴ２（１００−２）は、７．端末認証のシーケンスを実行し、ユーザ照会がＯＫとなるとＡＮ／ＰＣＦ（３００）−ＰＤＳＮ（４００）間、ＡＴ２（１００−２）−ＡＮ／ＰＣＦ（３００）間で占有チャネルパス設定が確立する（Ｓ２０７）。その後、ＡＴ２（１００−２）はＡＰＰサーバ（５００）との間で８．ＢＣＭＣＳアクセス情報の取得を行う（Ｓ２０８）。
【００６０】
ＡＴ２（１００−２）は、９．同報データ送信要求（ＢＣＭＣＳ  Ｆｌｏｗ  Ｒｅｇｉｓｔｒａｔｉｏｎ）を送出し（Ｓ２０９）、以降、図６に示したシーケンスＡが実行される（Ｓ２２０）。ここでは、ＡＴ２が、ＡＴ１が受信している送信データと同じサービスの同報データを所望している場合について説明する。この場合、ＡＴ２は、ＢＣＭＣＳ  Ｆｌｏｗ  Ｒｅｇｉｓｔｒａｔｉｏｎに、ＡＴ１が受信している送信データと同じサービスを示すＢＣＭＣＳ＿ＦＬＯＷ＿ＩＤを含めて送信する。シーケンスＡの説明は上述の図６の説明と同様であるので省略する。なお、ＡＮ／ＰＣＦ（３００）とＰＤＳＮ（４００）間の同報データ用パスは、Ｓ２０１にてすでに設定されている。
【００６１】
この後、ＡＮ／ＰＣＦ（３００）は、１０．無線チャネル割り当て処理を実行後（Ｓ２１０）、ＡＴ１（１００−１）とＡＴ２（１００−２）との間にそれぞれ１１．共有チャネルが設定される（Ｓ２１１）。無線チャネル割り当て処理では、例えばＡＮ／ＰＣＦ（３００）は、ＭａｃＩｎｄｅｘ＝５を動的に割り当て、対象となるセクタ又は端末に対して、チャネルの割り当てを指示する。
【００６２】
ＡＰＰサーバ（５００）から１２．同報データ送信開始が行なわれ（Ｓ２１２）、ＰＤＳＮ（４００）は同報データを保持している。ＰＤＳＮ（４００）は、この同報データを１３．同報データ送信により、同報データ用パスを介してＡＮ／ＰＣＦ（３００）へ送出する（Ｓ２１３）。この時点では、ＡＮ／ＰＣＦ（３００）は占有チャネルと共有チャネルの両方を使用して、ＡＴ１（１００−１）とＡＴ２（１００−２）へ１４．同報データ送信を行なう（Ｓ２１４）。例えば、ＡＴ１（１００−１）に占有チャネルを使用して同報データ送信を行い、ＡＴ１及びＡＴ２には、共有チャネルを使用して同報データ送信を行う。なお、ＡＴ１（１００−１）には同じデータが重複して送信されることになるが、ＡＴ１（１００−１）は同じデータを受信すると、後に受信したデータを優先する、又は、先に受信したデータを優先する、又は、いずれか一方を破棄するなど予め定められた適宜の規則により一方を記憶・表示等することができる。
【００６３】
この後、ＡＮ／ＰＣＦ（３００）は、ＡＴ１（１００−１）へ１５．占有チャネル解放要求を送出し（Ｓ２１５）、１６．占有チャネルが解放される（Ｓ２１６）。これらにより、その後はＡＮ／ＰＣＦ（３００）は共有チャネルを用いて同報データをＡＴ１及びＡＴ２へ送信することになる（Ｓ２１７）。
【００６４】
図１４に、占有チャネルから共有チャネルへ切り替える場合の、ＡＮ／ＰＣＦ（３００）の詳細処理手順を示す。
占有チャネルを設定し（Ｓ７０１）、設定された占有チャネルを使用して同報データ送信（Ｓ７０２）が実行されている（図１３のＳ２０２、２０５に相当）。ここで、ＡＮ／ＰＣＦ（３００）では、同報サービスを受けている加入者の数を示すカウンタ値を（７００）を保持している（Ｓ７００）。この時保持されている値を例えばｎ−１（ｎは整数）として以下説明する。
【００６５】
新たなＡＴ２（１００−２）が電源ＯＮし、ＡＮ／ＰＣＦ（３００）は、ＡＴ２（１００−２）からＢＣＭＣＳ  ｆｌｏｗ  Ｒｅｇｉｓｔｒａｔｉｏｎを受信すると（Ｓ７０３）、タイマ（３０４）を起動する（Ｓ７０４）。なお、Ｓ７０４は省略してもよい。また、ＡＮ／ＰＣＦ（３００）は、対応表（８００）に該当ユーザを追加登録する（７０５）。例えば、ＢＣＭＣＳ  ｆｌｏｗ  Ｒｅｇｉｓｔｒａｔｉｏｎに含まれるＢＣＭＣＳ＿ｆｌｏｗ＿ＩＤに応じた対応表（８００）に、ＡＴ２（１００−２）のユーザ識別子を追加登録する。なお、ユーザ識別子は、ＢＣＭＣＳ  ｆｌｏｗ  Ｒｅｇｉｓｔｒａｔｉｏｎに含まれていてもよいし、別途ＡＴ２（１００−２）から受信してもよい。
【００６６】
また、ＡＮ／ＰＣＦ（３００）は、同報サービスを受けている加入者の数を示すカウンタ値を、例えば１加算する（Ｓ７０６）。加算されたカウンタ（３０３）は、ｎを示す。なお、ＢＣＭＣＳ  ｆｌｏｗ  Ｒｅｇｉｓｔｒａｔｉｏｎが定期的に受信される場合は、上述のＳ７０５、Ｓ７０６の処理は、最初の受信に対して実行することができる。
【００６７】
ＡＮ／ＰＣＦ（３００）は、加算したカウンタ値ｎと、予め定められた閾値とを比較する（Ｓ７０７）。閾値は、例えばメモリに予め記憶されることができる。ＡＮ／ＰＣＦ（３００）は、カウンタ値ｎが閾値よりも小さい場合（ｎ＝＞閾値でない場合）は（Ｓ７０７）、ＡＴ２（１００−２）と占有チャネルを設定し、ＡＴ１及びＡＴ２とそれぞれの占有チャネルを使用して同報データを送信する（Ｓ７０８）。
【００６８】
一方、ＡＮ／ＰＣＦ（３００）は、カウンタ値ｎが閾値よりも等しいかもしくは大きい（ｎ＝＞閾値）場合は（又はｎ＞閾値の場合は）（Ｓ７０７）、共有チャネルを設定する（Ｓ７０９）。ＡＮ／ＰＣＦ（３００）は、例えば該当するＢＣＭＣＳ＿ｆｌｏｗ＿ＩＤに登録されているユーザに応じた端末(ここではＡＴ１及びＡＴ２)と共有チャネルを設定する。
【００６９】
また、ＡＮ／ＰＣＦ（３００）は、無線チャネル割り当てを、占有チャネルから共有チャネルへ切り替える（Ｓ７１０）。例えば、ＡＴ１（１００−１）との占有チャネルを解放することで、ＡＴ１及びＡＴ２とは共有チャネルのみが設定されている状態となり、後の同報データ送信は共有チャネルを使用して行われることになる。ステップＳ７１０の処理は、例えば図１３のステップＳ２１５及びＳ２１６に対応する。また、占有チャネル又は共有チャネルのいずれかによりデータを送信するかを適宜のフラグ等に設定し、該フラグを参照して同報データを占有チャネルで送信するか、又は、共有チャネルで送信するか判断するようにしてもよい。これ以降は、同報データは、共有チャネルを使用して送信される（Ｓ７１１）。
【００７０】
（共有チャネルから占有チャネルへ切り替え）
図１５は、共有チャネルから占有チャネルへの切り替えのシーケンス図である。図示の例は１ｘＥＶ−ＤＯ方式での例であるが、これ以外の方式であってもよい。
【００７１】
まず、概略を説明すると、当初、ＡＮ／ＰＣＦ−端末間は「共有チャネル」を用いて同報データ転送を行っていたが（Ｓ３０１〜Ｓ３０５、図６のＳ９１３〜Ｓ９１８又は図１３のＳ１１７等に相当）、通信中の端末が電源ＯＦＦ等し、圏外通知を受信したため、同報対象移動機数が減少した場合を考える。これにより予め定められた閾値を下まわると、ＡＮ／ＰＣＦ（３００）はＡＴに対して「占有チャネルパス設定要求」を送出し、電源ＯＦＦ等になった端末以外の端末について、ＡＮ／ＰＣＦ−端末間に「占有チャネルパス」が設定される。その後、すでに通信中の複数端末では、占有チャネルと共有チャネルの両方を使用して同報データを受信する。その後、「共有チャネルパス」が解放され、各端末に対しては設定された占有チャネルでそれぞれ同報データ転送が行われる。
【００７２】
以下、図１５の各処理を詳細に説明する。図６の手順又は図１３・図１４の手順により、以下のＳ３０１〜Ｓ３０５の処理が実行される。まず、１．同報データ用パス、２．共有チャネル（ＭａｃＩｎｄｅｘ＝５）が設定される（Ｓ３０１、Ｓ３０２）。ＡＰＰサーバ（５００）から３．同報データ送信開始が行なわれ（Ｓ３０３）、ＰＤＳＮ（４００）は同報データを保持している。ＰＤＳＮ（４００）は、この同報データを４．同報データ送信により、同報データ用パスを介してＡＮ／ＰＣＦ（３００）へ送出する（Ｓ３０４）。ＡＮ／ＰＣＦ（３００）は共有チャネルを使用して、ＡＴ１（１００−１）、ＡＴ２（１００−２）へ５．同報データ送信を行なう（Ｓ３０５）。
【００７３】
その後、例えば、ＡＴ２（１００−２）が６．電源ＯＦＦもしくは圏外へ移動すると（Ｓ３０６）、ＡＴ２（１００−２）は、７．ＡＴ圏外移動検出を示す信号をＡＮ／ＰＣＦ（３００）へ送出する（Ｓ３０７）。なお、ステップＳ３０７は省略することもできる。この信号を受信したＡＮ／ＰＣＦ（３００）は、共有チャネルで通信するか、又は、占有チャネルに切り替えるか判断する（Ｓ３３０）。なお、判断の詳細処理については、後述する。
【００７４】
ＡＮ／ＰＣＦ（３００）は、占有チャネルに切り替える場合（Ｓ３３０）、ＡＴ２（１００−２）以外のＡＴ（図１５ではＡＴ１（１００−１））へ８．占有チャネル用パス設定要求（占有チャネルへの切り替え指示）を送出する（Ｓ３０８）。一方、ＡＮ／ＰＣＦ（３００）は、共有チャネルで通信する場合には、ＡＴ１及びＡＴ２と共有チャネルを使用して同報データを送信することになる。なお、ここでは、占有チャネルに切り替える場合について述べる。
【００７５】
占有チャネル用パス設定要求の送出の後、図２で説明したように９．占有チャネル用パスがＡＴ１（１００−１）とＡＮ／ＰＣＦ（３００）間で設定される（Ｓ３０９）。ＡＰＰサーバ（５００）により１０．同報データ送信開始が行なわれ（Ｓ３１０）、ＰＤＳＮ（４００）は同報データを保持している。ＰＤＳＮ（４００）は、この同報データを１１．同報データ送信により、同報データ用パスを介してＡＮ／ＰＣＦ（３００）へ送出する（Ｓ３１１）。この時点では、ＡＮ／ＰＣＦ（３００）は共有チャネルと共有チャネルの両方を使用して、ＡＴ１（１００−１）へ１２．同報データ送信を行なう（Ｓ３１２）。この後、１３．共有チャネルを解放し（Ｓ３１３）、同報データは占有チャネルを使用して、ＡＴ１（１００−１）へ送信される（Ｓ３１４〜Ｓ３１６）。
【００７６】
図１６に、共有チャネルから占有チャネルへ切り替える場合の詳細手順を示す。
共有チャネルが設定され（Ｓ６０２）、共有チャネルを使用して、同報データ送信（Ｓ６０３）が実行されている（図１５、Ｓ３０２、Ｓ３０５に相当）。ＡＮ／ＰＣＦ（３００）では、同報サービスを受けている加入者の数を示すカウンタ値を保持している（Ｓ６００）。ここでは、カウンタ値としてｎが保持されているとする。また、ＡＮ／ＰＣＦ（３００）は、ユーザ毎にＢＣＭＣＳ  ｆｌｏｗ  Ｒｅｇｉｓｔｒａｔｉｏｎを受信している間はタイマ起動しているタイマ（３０４）を有している。タイマ（３０４）は、例えば、ＢＣＭＣＳ  ｆｌｏｗ  Ｒｅｇｉｓｔｒａｔｉｏｎを受信することにより起動し（Ｓ６０１）、再度ＢＣＭＣＳ  ｆｌｏｗ  Ｒｅｇｉｓｔｒａｔｉｏｎを受信するとタイマ（３０４）は停止し、再起動する（Ｓ６０４）。このタイマ（３０４）は、ＢＣＭＣＳ  ｆｌｏｗ  Ｒｅｇｉｓｔｒａｔｉｏｎを受信しないと（Ｓ６０５）、タイムアウトする（Ｓ６０６）。
【００７７】
ＢＣＭＣＳ  ｆｌｏｗ  Ｒｅｇｉｓｔｒａｔｉｏｎは、ＡＴ（１００）が、電源ＯＮ直後に、同報パス設定要求を行なうときに送信する信号である。この信号には、ＢＣＭＣＳ＿ＦＬＯＷ＿ＩＤが付与されており、同報パス確立後はこのＩＤにより、同報データ送信時に同報データの送付先として管理する。ＢＣＭＣＳ＿ＦＬＯＷ＿ＩＤは、同報データ（コンテンツ）毎に割り付けられるＩＤである。また、ＢＣＭＣＳ  ｆｌｏｗ  Ｒｅｇｉｓｔｒａｔｉｏｎは、同報サービスを受けている間は周期的にＡＴ（１００）からＡＮ／ＰＣＦ（３００）へ送信される。
【００７８】
ＡＮ／ＰＣＦ（３００）は、このＢＣＭＣＳ＿ＦＬＯＷ＿ＩＤ毎に、現状このＩＤのサービスを享受している加入ユーザを対応表（８００）に保持している。この対応表（８００）の更新契機として、例えば、以下の（１）及び（２）のときに対応表（８００）に該当ユーザを追加する。（１）ＡＴ電源ＯＮ後の端末認証成功時、（２）同報対象ＡＴがＰＣＦ間ハンドオフし、該当ＰＣＦの管理エリアに移動した時。一方、対応表（８００）から削除する契機は、上記の逆のケースである。
【００７９】
同報サービスを享受しているＡＴ（１００）は、定期的にＢＣＭＣＳ  ｆｌｏｗ  Ｒｅｇｉｓｔｒａｔｉｏｎを送信しているので、ＡＮ／ＰＣＦ（３００）は、ＢＣＭＣＳ  ｆｌｏｗ  Ｒｅｇｉｓｔｒａｔｉｏｎを受信したときにタイマ（３０４）を再起動し、タイマ（３０４）がタイムアウトした場合に（Ｓ６０６）、該当のＡＴが電源ＯＦＦまたは、管理エリア外に移動したと判断し、対応表（８００）から該当ＡＴを削除する（Ｓ６０７）。例えば、以前に受信したＢＣＭＣＳ  ｆｌｏｗ  Ｒｅｇｉｓｔｒａｔｉｏｎに含まれるＢＣＭＣＳ＿ＦＬＯＷ＿ＩＤの対応表（８００）から、ＡＴ２（１００−２）のユーザ識別子を削除する。また、全ＢＣＭＣＳ＿ＦＬＯＷ＿ＩＤの対応表（８００）からＡＴ２（１００−２）のデータを削除してもよい。
【００８０】
なお、タイマ（３０４）は、複数のタイマ（３０４）が各ユーザ毎に起動され、各タイマ（３０４）がそれぞれのユーザのタイムアウトを管理するようにしてもよい。また、ひとつのタイマ（３０４）が、対応表（８００）に記憶される全てのＡＴについてＢＣＭＣＳ  ｆｌｏｗ  Ｒｅｇｉｓｔｒａｔｉｏｎを受信することにより起動・再起動されてもよい。この場合、ＡＮ／ＰＣＦ（３００）が、対応表（８００）に記憶されたＡＴのうち、ＢＣＭＣＳ  ｆｌｏｗ  Ｒｅｇｉｓｔｒａｔｉｏｎを受信したＡＴと、受信していないＡＴとを管理することで、所定時間内にＢＣＭＣＳ  ｆｌｏｗ  Ｒｅｇｉｓｔｒａｔｉｏｎを受信できなかった該当ＡＴを判断することができる。また、タイムアウト以外にも、ＡＴ圏外移動検出を示す信号を受信した場合に上述のステップＳ６０７の処理を実行してもよい。
【００８１】
また同時に、現在が同報サービスを享受しているＡＴの数を表示するカウンタ（３０３）を用意する。ＡＮ／ＰＣＦ（３００）は、タイマ（３０４）がタイムアウトした場合に、カウンタ（３０３）を１減算する（Ｓ６０８）。なお、図１６で示されていないが、ＡＮ／ＰＣＦ（３００）は、新たなＡＴからＢＣＭＣＳ  ｆｌｏｗ  Ｒｅｇｉｓｔｒａｔｉｏｎを受信したときにはカウンタ（３０３）を１増加する（図１４のＳ７０６）。
【００８２】
ＡＮ／ＰＣＦ（３００）は、減算したカウンタ値ｎ−１を予め定められた閾値と比較する（Ｓ６０９）。なお、閾値は上述の閾値と同じ値を用いることができる。ＡＮ／ＰＣＦ（３００）は、カウンタ値が閾値よりも小さくない場合は（Ｓ６０９）、共有チャネルを使用してＡＴ１（１００−１）に同報データを送信することになる（Ｓ６１０）。一方、ＡＮ／ＰＣＦ（３００）は、カウンタ値が閾値よりも小さい（ｎ−１＜閾値）場合は（又はｎ−１＜＝閾値の場合は）（Ｓ６０９）、対応表（８００）に登録されている全ユーザ（図１６の例ではＡＴ１）に対して、占有チャネルパス設定要求を送信する（Ｓ６１１）。
【００８３】
全ユーザの占有チャネルが設定された後（Ｓ６１２）、無線チャネル割り当てを、共有チャネルから占有チャネルへ切り替える（Ｓ６１３）。例えば、図１５のステップＳ３１３に示すようにＡＴ１（１００−１）との共有チャネルを解放することで、無線チャネルを共有チャネルから占有チャネルへ切り替える。これ以降は、同報データは、占有チャネルを使用して送信されることになる（Ｓ６１４）。
【００８４】
なお、本実施の形態では、カウンタは全ＢＣＭＣＳ＿ＦＬＯＷ＿ＩＤに登録されているユーザ数をカウントしているが、各ＢＣＭＣＳ＿ＦＬＯＷ＿ＩＤ毎にカウンタを備え、本実施の形態の処理をＢＣＭＣＳ＿ＦＬＯＷ＿ＩＤ毎に実行してもよい。
【産業上の利用可能性】
【００８５】
ブロードキャストチャネル（共有チャネル）を備える無線システムに利用可能である。
【図面の簡単な説明】
【００８６】
【図１】従来技術における同報データ転送イメージ図。
【図２】従来技術における同報データ転送シーケンス図。
【図３】ＢＣＭＣＳ方式による同報データ転送イメージ図（１）。
【図４】ＢＣＭＣＳ方式による同報データ転送イメージ図（２）。
【図５】ＯＭＣ指示契機による同報データ送信開始方法（Ｓｔａｔｉｃ  Ｂｒｏａｄｃａｓｔ方式）のシーケンス図。
【図６】端末要求契機による同報データ送信開始方法（Ｄｙｎａｍｉｃ  Ｂｒｏａｄｃａｓｔ方式）のシーケンス図。
【図７】従来技術における同報データ送信で使用する占有チャネル。
【図８】ＢＣＭＣＳ方式による同報データ送信で使用する共有チャネル
【図９】移動体無線通信システムの構成例。
【図１０】ＡＮ／ＰＣＦのハード構成図。
【図１１】ＢＣＭＣＳ＿ＦＬＯＷ＿ＩＤとユーザの対応表のフォーマット図。
【図１２】端末認証契機の同報データ送信方法（占有チャネル使用時、主に１ｘＥＶ−ＤＯ方式）のシーケンス図。
【図１３】占有チャネルから共有チャネルへの切り替え方法（図は１ｘＥＶ−ＤＯ方式での例）のシーケンス図。
【図１４】占有チャネルから共有チャネルへの切り替え方法詳細手順例のフローチャート。
【図１５】共有チャネルから占有チャネルへの切り替え方法（図は１ｘＥＶ−ＤＯ方式での例）のシーケンス図。
【図１６】共有チャネルから占有チャネルへの切り替え方法詳細手順例のフローチャート。
【符号の説明】
【００８７】
１００−１，２，３・・・無線通信端末（ＡＴ）
３００・・・無線基地局／パケット制御装置（ＡＮ／ＰＣＦ）
３０１・・・ＣＰＵ
３０３・・・カウンタ
３０４・・・タイマ
３０５・・・無線ＩＦ
３０６・・・回線ＩＦ
３０７・・・通信処理部
３５０・・・Ｍｏｂｉｌｅ  Ｓｗｉｔｃｈｉｎｇ  Ｃｅｎｔｅｒ（ＭＳＣ）
３６０・・・Ｈｏｍｅ  Ｌｏｃａｔｉｏｎ  Ｒｅｇｉｓｔｏｒ（ＨＬＲ）
３７０・・・Ａｃｃｅｓｓ  Ｎｅｔｗｏｒｋ−Ａｕｔｈｅｎｔｉｃａｔｉｏｎ，Ａｕｔｈｏｒｉｚａｔｉｏｎ＆Ａｃｃｏｕｎｔｉｎｇ（ＡＮ−ＡＡＡ）
４００・・・パケットデータサービングノード（ＰＤＳＮ）
４５０・・・マルチキャストルータ
５００・・・アプリケーションサーバ（ＡＰＰサーバ）
５５０・・・オペレーションメンテナンスセンタ（ＯＭＣ）
８００・・・対応表
１０００・・・パケット
１０５０・・・報知情報エリア
１１００・・・トラフィックデータエリア
１１０１，２・・・トラフィックデータ
【図１】
2006108960.tif 000003
【図２】
2006108960.tif 000004
【図３】
2006108960.tif 000005
【図４】
2006108960.tif 000006
【図５】
2006108960.tif 000007
【図６】
2006108960.tif 000008
【図７】
2006108960.tif 000009
【図８】
2006108960.tif 000010
【図９】
2006108960.tif 000011
【図１０】
2006108960.tif 000012
【図１１】
2006108960.tif 000013
【図１２】
2006108960.tif 000014
【図１３】
2006108960.tif 000015
【図１４】
2006108960.tif 000016
【図１５】
2006108960.tif 000017
【図１６】
2006108960.tif 000018